(57)【要約】  部品点数の削減を図るとともに接触不良の発生しにくい接続端子を得ることを目的とする。接続端子７は、円筒形状を呈する固定子１０のティース３に巻き付けられた巻線２と導通される。接続端子７は、電動機の固定子１０に形成された凹部６に差し込まれる差込部８と、差込部８から延びる接続部９と、を備える。差込部８には、凹部６に差し込んだ際に巻線２の端部２ａに接触する接触部１１が形成される。差込部８と接続部９とが一体に形成される。
2014122762.tif 000002
【特許請求の範囲】
【請求項１】
円筒形状を呈する固定子のティースに巻き付けられた巻線と導通される接続端子であって、
前記固定子の凹部に差し込まれる差込部と、
前記差込部から延びる接続部と、を備え、
前記差込部には、前記凹部に差し込んだ際に前記巻線に接触する接触部が形成され、
前記差込部と前記接続部とが一体に形成されることを特徴とする接続端子。
【請求項２】
複数の前記差込部とそこから延びる複数の前記接続部とを備え、
前記円筒形状の中心軸を中心とする円弧形状の板部材であって前記接続部同士を連結させる板部をさらに備えることを特徴とする請求項１に記載の接続端子。
【請求項３】
前記差込部および前記接続部は、前記板部の外周側に形成されることを特徴とする請求項２に記載の接続端子。
【請求項４】
前記差込部には、前記円筒形状の径方向に突出する突起が形成されて、前記凹部内に形成された係合穴と係合することを特徴とする請求項１〜３のいずれか１つに記載の接続端子。
【請求項５】
請求項２または３に記載された三相分の接続端子と、
前記三相分の接続端子のうち、一の接続端子の前記板部に対して他の接続端子の前記板部を前記中心軸に沿った方向に間隔を空けて保持し、さらに他の接続端子の前記板部を前記一の接続端子の前記板部に対して前記円筒形状の径方向側に間隔を空けて保持する絶縁性の絶縁保持部と、を備えることを特徴とする接続端子ユニット。
【請求項６】
請求項５に記載の接続端子ユニットと、
前記接続端子の差込部が差し込まれる凹部が形成されて円筒形状を呈する固定子と、
前記固定子の内側に設けられる回転子と、を備えることを特徴とする電動機。
【発明の詳細な説明】
【技術分野】
【０００１】
本発明は、接続端子、接続端子ユニットおよび電動機に関する。
【背景技術】
【０００２】
電動機の固定子には、複数のコイルが設けられる。電動機の固定子では、円筒形状を呈するコアバックの内側面に複数のティースが形成される。その複数のティースに巻線が巻き付けられて複数のコイルが構成される。このような電動機では、異なるティースに巻き付けられた巻線同士を電気的に接続させる必要がある。【０００３】
そこで、巻線との導通が図られた接続端子が設けられ、その接続端子同士をさらに電気的に接続させることで、異なるティースに巻き付けられた巻線同士が電気的に接続される場合がある。例えば、特許文献１では、コイルに形成された凹部に差し込まれて、巻線との導通が図られるメス端子と、メス端子と係合して巻線間の電気的接続を可能とするオス端子とを備える接続端子が開示されている。
【先行技術文献】
【特許文献】
【０００４】
【特許文献１】特開２００７−２６７５７１号公報
【発明の概要】
【発明が解決しようとする課題】
【０００５】
しかしながら、上記従来の技術によれば、オス端子とメス端子とに接続端子が分かれているため、部品点数の増加や、オス端子とメス端子との間での接触不良の問題が生じる場合があるといった問題があった。【０００６】
本発明は、上記に鑑みてなされたものであって、部品点数の削減を図るとともに接触不良の発生しにくい接続端子を得ることを目的とする。
【課題を解決するための手段】
【０００７】
上述した課題を解決し、目的を達成するために、本発明は、円筒形状を呈する固定子のティースに巻き付けられた巻線と導通される接続端子であって、固定子の凹部に差し込まれる差込部と、差込部から延びる接続部と、を備え、差込部には、凹部に差し込んだ際に巻線に接触する接触部が形成され、差込部と接続部とが一体に形成されることを特徴とする。
【発明の効果】
【０００８】
本発明にかかる接続端子は、部品点数の削減を図るとともに接触不良を発生しにくくすることができるという効果を奏する。
【図面の簡単な説明】
【０００９】
【図１】図１は、本発明の実施の形態１にかかる電動機の内部構造を模式的に示す図であって、回転軸方向に沿って見た図である。
【図２】図２は、固定子の端部を拡大した部分拡大斜視図である。
【図３】図３は、固定子が備えるティースの１つを拡大した斜視図である。
【図４】図４は、接続端子の側面図である。
【図５】図５は、接続端子の正面図である。
【図６】図６は、接続端子の斜視図である。
【図７】図７は、接続端子が差し込まれた凹部部分を拡大した部分拡大断面図である。
【図８】図８は、本発明の実施の形態２にかかる電動機が備える固定子の斜視図である。
【図９】図９は、固定子の端部を拡大した図であって、接続端子ユニット部分を分解した状態を示す分解斜視図である。
【図１０】図１０は、接続端子ユニットの分解斜視図である。
【図１１】図１１は、接続端子ユニットのうち、絶縁保持部に保持された部分を拡大した部分拡大斜視図である。
【発明を実施するための形態】
【００１０】
以下に、本発明の実施の形態にかかる接続端子、接続端子ユニットおよび電動機を図面に基づいて詳細に説明する。なお、この実施の形態によりこの発明が限定されるものではない。
【００１１】
実施の形態１．
図１は、本発明の実施の形態１にかかる電動機の内部構造を模式的に示す図であって、回転軸方向に沿って見た図である。電動機３０は、固定子１０と回転子２０とを備える。回転子２０は、固定子１０の内側に設けられて回転軸（中心軸Ｃ）を中心に回転可能とされる。
【００１２】
図２は、固定子１０の端部を拡大した部分拡大斜視図である。固定子１０は、ステータコア１と巻線２とを有する。ステータコア１は、コアバック４とティース３とを有する。ステータコア１は、金属性、例えば鉄製の薄板を積層して形成される。コアバック４は、全体として円筒形状を呈する。円筒形状を呈するコアバック４の中心軸Ｃは、回転子２０の回転軸と重なる。
【００１３】
ティース３は、コアバック４の内側面から中心軸Ｃに向けて突出するとともに、中心軸Ｃの延びる方向に沿って延びるように形成されている。コアバック４の内側面には、複数のティース３が形成されている。ティース３に巻線２が巻き付けられてコイルが形成される。巻線２は、例えば絶縁被覆された銅線である。電動機３０は、複数のティース３に巻き付けられた巻線２が、それぞれＵ相、Ｖ相、Ｗ相のいずれかのコイルとして機能する三相の電動機である。
【００１４】
図３は、固定子１０が備えるティースの１つを拡大した斜視図である。ティース３に隣接するコアバック４には、凹部６が形成されている。ティース３に巻き付けられた巻線２の端部２ａは、凹部６の開口と重なる位置を通過する。凹部６には、巻線２の端部２ａと導通が図られる接続端子７が差し込まれる。
【００１５】
図４は、接続端子７の側面図である。図５は、接続端子７の正面図である。図６は、接続端子７の斜視図である。接続端子７は、導電性の金属材料等で形成される。接続端子７は、差込部８と接続部９とを備える。差込部８と接続部９とは、一体に形成される。差込部８は、凹部６に差し込み可能とされる。差込部８を凹部６に差し込むことで、凹部６に差込部８が嵌まり、コアバック４に接続端子７が固定される。
【００１６】
差込部８には、差し込み方向に延びる溝（接触部）１１が形成されている。溝１１の幅は、巻線２の外径よりも小さく形成される。差込部８を凹部６に差し込む際に、この溝１１に巻線２の端部２ａが挟み込まれる。溝１１の幅のほうが巻線２の外径よりも小さく形成されているので、溝１１に挟み込まれる際に溝１１によって巻線２の被覆が除去される。これにより、巻線２の内部配線と差込部８とが接触し、接続端子７と巻線２とが電気的に接続される。
【００１７】
接続部９は、差込部８から延びるように一体に形成される。この接続部９同士を、銅線等の配線で電気的に接続することで、異なるティース３に巻き付けられた巻線２同士、例えば互いに同じ相のコイルとなる巻線２同士や、互いに異なる相のコイルとなる巻線２同士が電気的に接続される。
【００１８】
図７は、接続端子７が差し込まれた凹部６部分を拡大した部分拡大断面図である。差込部８には、円筒形状を呈する固定子１０の径方向側に突出する突起７ａが形成されている。凹部６の内側には、突起７ａと係合する係合穴６ａが形成されている。径方向に突出する突起７ａが係合穴６ａに係合するので、接続端子７の凹部６からの抜けを抑えるとともに、矢印Ｘに示す方向に接続端子７が揺れるのを抑えることができる。
【００１９】
矢印Ｘに示す方向への接続端子７の揺れは、凹部６から離れた接続部９の大きな揺れになりやすい。接続部９が大きく揺れると、接続部９に接合された配線等との間で接触不良が発生しやすくなる。本実施の形態では、突起７ａと係合穴６ａとによって矢印Ｘに示す方向への接続端子７の揺れを抑えているので、接触不良の発生を抑えて、製品の信頼性の向上を図ることができる。
【００２０】
また、差込部８と接続部９とが一体に形成されているので、差込部８と接続部９とを別個に形成する場合に比べて、部品点数の削減によるコストの抑制を図ることができる。また、接点の削減によって接触不良の発生を抑えて信頼性の向上を図ることができる。
【００２１】
実施の形態２．
図８は、本発明の実施の形態２にかかる電動機が備える固定子の斜視図である。図９は、固定子の端部を拡大した図であって、接続端子ユニット部分を分解した状態を示す分解斜視図である。図１０は、接続端子ユニットの分解斜視図である。なお、上記実施の形態と同様の構成については、同様の符号を付して詳細な説明を省略する。
【００２２】
本実施の形態２にかかる電動機が備える固定子５０には、複数の接続端子５７が保持された接続端子ユニット６０が取り付けられる。図１０に示すように、接続端子５７は、差込部８と接続部９と板部５２とを備える。板部５２は、接続部９から延びるとともに、固定子５０の中心軸Ｃを中心とする円弧形状を呈する板状の部材である。差込部８と接続部９と板部５２とは、一体に形成されている。
【００２３】
接続端子５７には、１つの板部５２の端部に１つの差込部８と接続部９とが設けられたものと、１つの板部５２に複数の差込部８と接続部９とが設けられたものとがある。１つの差込部８と接続部９とが設けられた板部５２は、その一端から巻線２への電力が投入され入力端子として機能する。複数の差込部８と接続部９とが設けられた板部５２は、異なるティース３に巻き付けられた巻線２同士を電気的に接続させる。例えば、互いに同じ相のコイルとなる巻線２同士を接続させたり、互いに異なる相のコイルとなる巻線２同士を電気的に接続させたりする。
【００２４】
なお、互いに同じ相のコイルとなる巻線２同士であって、接続端子５７によって電気的に接続されていないもの同士は、例えばその巻線２同士が１本の銅線で構成されることで、電気的に接続されている。差込部８と接続部９とは、円弧形状を呈する板部５２の外周側に設けられており、中心軸Ｃに沿って見た場合に板部５２はティース３と重なる。
【００２５】
図９に示すように、上述した複数の接続端子５７が絶縁保持部５３にまとめて保持されて、接続端子ユニット６０を構成する。図１１は、接続端子ユニット６０のうち、絶縁保持部５３に保持された部分を拡大した部分拡大斜視図である。絶縁保持部５３は、絶縁性の材料、例えば合成樹脂により形成されている。絶縁保持部５３は、一の接続端子５７の板部５２（５２ａ）に対して、他の接続端子５７の板部５２（５２ｂ）を中心軸Ｃ（図８等も参照）に沿った方向に間隔を空けて保持する。また、絶縁保持部５３は、一の接続端子５７の板部５２（５２ａ）に対して、さらに他の接続端子５７の板部５２（５２ｃ）を円筒形状の径方向側に間隔を空けて保持する。
【００２６】
接続端子ユニット６０では、板状の板部５２によって差込部８が連結されていること、および絶縁保持部５３によって複数の接続端子５７が保持されることによって、差込部８の位置を予め決めることができる。また、板状の板部５２によって差込部８が連結されているので、変形しやすい配線によって連結されている場合に比べて、接続端子ユニット６０の形状が変形しにくくなっている。
【００２７】
そのため、凹部６の位置と差込部８の位置とが重なるように接続端子ユニット６０を組み立てておけば、接続端子ユニット６０を固定子５０に取り付けることで、すべての差込部８を一括で凹部６に差し込むことが可能となる。したがって、電動機の組立の容易化を図ることができる。
【００２８】
また、板部５２同士の間には、絶縁保持部５３によって一定の間隔が設けられているので、板部５２同士が接触しにくくなっている。そのため、板部５２の表面を絶縁性の被覆で覆う等の絶縁処理を不要とすることができる。これにより、製造コストの抑制を図ることができる。
【００２９】
また、接続端子５７において、差込部８と接続部９とが、円弧形状を呈する板部５２の外周側に設けられており、中心軸Ｃに沿って見た場合に板部５２はティース３とが重なるので、ティース３上のデッドスペースを有効に活用することができる。これにより、電動機の小型化を図ることができる。
【００３０】
また、接続端子ユニット６０において、複数の板部５２同士は、一の接続端子５７の板部５２に対して、中心軸Ｃ方向と径方向とにそれぞれ並べられているので、板部５２同士が一方向にのみ並べられる場合に比べて、接続端子５７の配置スペースの省スペース化を図ることができる。これにより、電動機のより一層の小型化を図ることができる。
【００３１】
なお、板部５２同士を一方向にのみ、例えば径方向のみに並べても、板部５２同士の間に一定の間隔が設けられていれば、上述したように絶縁処理を不要とする効果を得ることができる。
【産業上の利用可能性】
【００３２】
以上のように、本発明にかかる接続端子は、固定子の巻線同士を電気的に接続させるための接続端子に有用である。
【符号の説明】
【００３３】
１  ステータコア、２  巻線、２ａ  端部、３  ティース、４  コアバック、６  凹部、６ａ  係合穴、７  接続端子、７ａ  突起、８  差込部、９  接続部、１０  固定子、１１  溝（接触部）、２０  回転子、３０  電動機、５０  固定子、５２，５２ａ，５２ｂ，５２ｃ  板部、５３  絶縁保持部、５７  接続端子、６０  接続端子ユニット。
【図１】
2014122762.tif 000003
【図２】
2014122762.tif 000004
【図３】
2014122762.tif 000005
【図４】
2014122762.tif 000006
【図５】
2014122762.tif 000007
【図６】
2014122762.tif 000008
【図７】
2014122762.tif 000009
【図８】
2014122762.tif 000010
【図９】
2014122762.tif 000011
【図１０】
2014122762.tif 000012
【図１１】
2014122762.tif 000013
【手続補正書】
【提出日】平成25年7月16日(2013.7.16)
【手続補正１】
【補正対象書類名】特許請求の範囲
【補正対象項目名】全文
【補正方法】変更
【補正の内容】
【特許請求の範囲】
【請求項１】
円筒形状を呈する固定子のティースに巻き付けられた巻線と導通される接続端子であって、
前記固定子の凹部に差し込まれる差込部と、
前記差込部から延びる接続部と、を備え、
前記差込部には、前記凹部に差し込んだ際に前記巻線に接触する接触部が形成され、
前記差込部は、断面形状がＵ字形状を呈し、
前記接触部は、前記Ｕ字形状の閉塞側から開放側に向けて形成された溝であり、
前記差込部には、前記円筒形状の径方向に突出する突起が形成されて、前記凹部内に形成された係合穴と係合し、
前記差込部と前記接続部とが一体に形成されることを特徴とする接続端子。
【請求項２】
複数の前記差込部とそこから延びる複数の前記接続部とを備え、
前記円筒形状の中心軸を中心とする円弧形状の板部材であって前記接続部同士を連結させる板部をさらに備えることを特徴とする請求項１に記載の接続端子。
【請求項３】
前記差込部および前記接続部は、前記板部の外周側に形成されることを特徴とする請求項２に記載の接続端子。
【請求項４】
請求項２または３に記載された三相分の接続端子と、
前記三相分の接続端子のうち、一の接続端子の前記板部に対して他の接続端子の前記板部を前記中心軸に沿った方向に間隔を空けて保持し、さらに他の接続端子の前記板部を前記一の接続端子の前記板部に対して前記円筒形状の径方向側に間隔を空けて保持する絶縁性の絶縁保持部と、を備えることを特徴とする接続端子ユニット。
【請求項５】
請求項４に記載の接続端子ユニットと、
前記接続端子の差込部が差し込まれる凹部が形成されて円筒形状を呈する固定子と、
前記固定子の内側に設けられる回転子と、を備えることを特徴とする電動機。
【国際調査報告】
2014122762.tif 000014
2014122762.tif 000015
2014122762.tif 000016
2014122762.tif 000017
2014122762.tif 000018
2014122762.tif 000019
2014122762.tif 000020